(57)【要約】【課題】安全性の高いネイルガンの提供。【解決手段】本考案のネイルガンは、相対して蓋合する殻体前側片内に、上下に滑動する打撃片を設置し、打撃片は圧棒により持ち上げられ、且つ、釈放後の力が下に滑移して、下方の釘体を発射する。安全構造は、打撃片と同方向に延伸し、且つ、底端が、殻体を突出する抵圧素子を有し、抵圧素子上方は、打撃片が上に持ち上げられるのを単一方向で制限する制動素子を枢設し、制動素子は、抵圧素子が殻体内に縮入されていない時、打撃片が単一方向に持ち上げられるのを制限し、打撃片は釘を発射する予備動作に至らず、ネイルガンが物体表面に未貼接時、釘打ち動作を実行しないので、使用の安全性を向上させることができる。【選択図】    図１
0003142981.tif 000002
【実用新案登録請求の範囲】
【請求項１】
安全性の高いネイルガンであって、殻体と打撃片と安全構造と、からなり、
前記殻体はその他の素子を容置し、
前記打撃片は、前記殻体前縁に設置され、前記殻体上に設置された圧棒により、上昇と釈放が可能で、また、殻体内に前記打撃片を連接するばね片を有し、前記圧棒が打撃片を釈放する時、前記打撃片はばね片の作動を受けて下向けに発射され、
前記安全構造は、前記殻体の打撃片の前方に設置され、前記殻体前縁の抵圧素子に滑設され、且つ、前記抵圧素子は前記殻体底面から若干突出するが、完全には出せず、抵圧素子上方は、制動素子を枢設し、前記制動素子の枢点両端は、それぞれ、前記抵圧素子と前記打撃片に対応し、更に、前記制動素子は前記抵圧素子上方に対応して復位素子を設置し、前記抵圧素子は、正常な状態下で、下向けに前記殻体底面から突出し、前記制動素子のもう一端は、前記打撃片の上方向の移動を制限し、前記抵圧素子が前記殻体内に圧縮される時、前記制動素子を作動させて、前記打撃片に対応する一端が下向けに旋転して、前記打撃片を釈放し、且つ、前記制動素子は、旋転して上向けに作動することで、打撃片を釈放することがないことを特徴とする安全性の高いネイルガン。
【請求項２】
前記殻体前縁は、前記抵圧素子が滑動するスロットを有し、且つ、前記スロットと前記抵圧素子が相隣する側辺に相対する停止部を形成し、前記抵圧素子は、前記ネイルガンの底面から少し突出するが、完全には脱出しないことを特徴とする請求項１に記載の安全性の高いネイルガン。
【請求項３】
前記スロットと前記抵圧素子の停止部は相対する凸ブロック、及び、長い凹槽で、前記抵圧素子は正常な状態下で、下向けに前記殻体底面から突出することを特徴とする請求項２に記載の安全性の高いネイルガン。
【請求項４】
前記制動素子は枢軸により前記殻体上に枢設されることを特徴とする請求項１に記載の安全性の高いネイルガン。
【請求項５】
前記打撃片は前記制動素子に対応する制限槽を形成し、前記抵圧素子は下向けで前記殻体から突出する時、前記制動素子の前記打撃片に対応する一端が前記制限槽上に穿置されて、制限作用を生成し、前記抵圧素子が上向けに前記殻体に縮入する時、前記制動素子は、前記打撃片の制限槽を下向きに脱離することを特徴とする請求項１に記載の安全性の高いネイルガン。
【請求項６】
前記制動素子の前記打撃片に対応する一端頂面は斜面を形成して、前記打撃片の動作の干渉を防止することを特徴とする請求項１、或いは、５に記載の安全性の高いネイルガン。
【考案の詳細な説明】
【技術分野】
【０００１】
本考案はネイルガンに関し、特に、安全性の高いネイルガンに関する。
【背景技術】
【０００２】
ネイルガンは、物件に連続して釘を打つ装置である。主に、蓋合する殻体前縁に上下に滑動する打撃片を有し、且つ、殻体底縁にコンプレッサの推動を受け、且つ、打撃片と垂直に交錯する連続した釘体を設置する。打撃片が作動して、上向けに移動し、且つ、打撃片を釈放する時、打撃片は瞬時に下向きに釘体を発射する。このようなネイルガンは、操作が簡単で、効率がよいので、幅広く使用されている。
【０００３】
手動式のネイルガンを例とすると、ネイルガンが未使用時に、誤作動により釘体を打撃するのを防止するため、一般に、殻体上に安全装置となるリングが設置されて、誤操作による打撃片の作動を防止しているが、実際は、使用過程で、まず、リングを釈放しなければならないので、操作上の不便が増加し、且つ、一旦、釈放すると、ネイルガンは即時に発射状態になるので、ネイルガンが作業物体表面に貼接しない時でも、使用者が、誤射により打撃片を発射してしまう恐れがある。
【考案の開示】
【考案が解決しようとする課題】
【０００４】
よって、本考案の目的は、誤射を防止する安全性の高いネイルガンを提供することにある。
【課題を解決するための手段】
【０００５】
本考案のネイルガンは、殻体と、打撃片と、安全構造と、からなる。殻体はその他の素子を容置する。打撃片は、殻体前縁に設置され、殻体上に設置された圧棒により、上昇と釈放が可能で、また、殻体内に打撃片を連接するばね片を有し、圧棒が打撃片を釈放する時、打撃片はばね片の作動を受けて下向けに発射される。安全構造は、殻体打撃片の前方に設置され、殻体前縁の抵圧素子に滑設され、且つ、抵圧素子は殻体底面から若干突出しているが、完全には脱出しない。また、抵圧素子上方は制動素子を枢設し、制動素子の枢点両端は、それぞれ、抵圧素子と打撃片に対応している。更に、制動素子は抵圧素子上方に対応して復位素子を設置し、抵圧素子は、正常な状態下で、下向けに殻体底面から突出する。制動素子のもう一端は、打撃片の上方向の移動を制限し、抵圧素子が殻体内に圧縮される時、制動素子を作動させて、打撃片に対応する一端が下向けに旋転して、打撃片を釈放し、且つ、制動素子は、旋転して上向けに作動されることで、打撃片を釈放することがない。
【考案の効果】
【０００６】
本考案により、ネイルガンの制動素子は抵圧素子が殻体内に縮入していない時、打撃片の上向きの移動を制限し、これにより、ネイルガンが操作平面に貼接しない時は、打撃片は発射状態にならず、ネイルガンの使用過程における安全性を確保することができる。
【考案を実施するための最良の形態】
【０００７】
本考案の安全性の高いネイルガンは、図１と図２で示されるように、ネイルガンは2つの蓋合する殻体１０、殻体１０前縁に設置される打撃片１５、及び、打撃片１５の上向きの移動を選択的に制限できる安全構造２０、からなる。
【０００８】
本考案のネイルガンの好ましい実施例は、図１〜図３で示されるように、両殻体１０は、相対する前側片１１を有し、且つ、前側片１１内に打撃片１５が滑動するスロット１２を形成する。スロット１２下段はトラック片１３を有して、打撃片１５が滑動する際の安定性と殻体１０の使用寿命を増加する。更に、両殻体１０底縁は釘体３０を容置する釘槽１８を有する。
【０００９】
また、両殻体１０のスロット１２とトラック片１３内に滑設される打撃片１５は、一発が、連続して垂直に交錯した釘体３０を打撃する（図３で示される）。打撃片１５上段は開口１５０を有し、且つ、両殻体１０間に、打撃片１５を下向けに強力に押すばね片１６を設置する。また、両殻体１０間は、手動で作動する圧棒１７を枢設する。本考案は手動を主要実施例とし、圧棒１７前端は、打撃片１５の開口１５０に引っかかるピック１７０を有し、圧棒１７はピック１７０により打撃片１５を持ち上げ、且つ、所定高度に達した時、圧棒１７のピック１７０は、打撃片１５を釈放し、打撃片１５がバネ片１６の作用を受けて、下向けに釘体３０を発射する。
【００１０】
安全構造２０は、抵圧素子２１、制動素子２３、復位ばね２５、からなり、抵圧素子２１は、両殻体１０の前側片１１内に滑動され、両殻体１０は相対するスロット２２を形成し、抵圧素子２１は打撃片１５と同軸向きに移動する。また、スロット２２と抵圧素子２１が相隣する側辺は、相対する停止部２２０、２１０を形成して、抵圧素子２１が殻体１０局部に相対して移動し、且つ、完全に脱出することがない。本考案の停止部２２０、２１０は、相対する凸ブロック、及び、長い凹槽を主要実施例とし、抵圧素子２１は正常状態下で、下向けに殻体１０底面から突出し、且つ、局部が上向けにシフトする。また、制動素子２３は、枢軸２４により殻体１０の抵圧素子２１と打撃片１５の上方に枢設され、制動素子２３が打撃片１５に対応する一端は下向けに枢転するが、上向けに枢転しない。また、打撃片１５上に、制動素子２３に対応する制限槽２７を形成し、制動素子２３が打撃片１５に対応する端部は、制限槽２７内に穿置でき、且つ、端部頂面は斜導面２３０を形成し、制動素子２３は、打撃片１５の下向けの打撃動作を干渉しない。また、殻体１０はスロット２２上方に容槽２６を形成し、復位ばね２５は容槽２６内に設置され、且つ、制動素子２３の打撃片１５一端と異なる上方に位置して、制動素子２３を作動させ、常に、打撃片１５の制限槽２７内に穿入する状態にし、打撃片１５を上向けに持ち上げる目的を達成する。
【００１１】
よって、ネイルガンが物体表面に貼接していない時、復位ばね２５は下向けに制動素子２３を抵制して、打撃片１５の制限槽２７内に嵌入し、打撃片１５は発射位置に移動しないので、誤操作による誤射を防止することができる。
【００１２】
本考案の実際の運用において、まず、ネイルガンが物体表面に貼接しない時、図３〜図５で示されるように、安全構造２０の制動素子２３が復位ばねの圧制を受けて、下向けに抵圧素子２１を殻体１０から突出させ、且つ、制動素子２３の打撃片１５に対応する一端が、制限槽２７中に穿入し、これにより、使用者が下向けに圧棒１７を押す時、圧棒１７のピック１７０が打撃片１５の開口１５０内に引っかかり、打撃片１５が上向けに少し移動するが、打撃片１５の制限槽２７の底面が貼接する制動素子２３が、打撃片１５の端部底面に対応する時、制動素子２３が上に枢転できず、安全メカニズムを閉鎖した状態になり、打撃片１５が継続して所定の発射位置に移動するのを効果的に制限し（図５で示される）、ネイルガンが物体表面に貼接しない正常な状況下で、誤操作による誤射を防止することができる。
【００１３】
更に、ネイルガンが物体表面に貼接されて、釘打ち動作を実行する時の状態が、図６〜図８で示され、使用者がネイルガンを物体表面に貼接して、釘を打つ時、図６で示されるように、安全構造２０の抵圧素子２１が殻体１０内に縮入し、制動素子２３を推動して、上向けに回転させ、同時に、上方の復位ばね２５を圧縮して、回復力を生成し、且つ、制動素子２３のもう一端は、打撃片１５の制限槽２７を脱離して（図６で示される）、安全メカニズムを起動した状態になり、続いて、使用者が下向けに圧棒１７を押す時、圧棒１７のピック１７０は、打撃片１５のピック１５０内に引っかかり、打撃片１５を上向きに所定の発射位置に移動させる。且つ、同時に、バネ片１６を帯動して、上向きに回復力を生成し（図７で示される）、打撃片１５が一定の高度になって、圧棒１７のピック１７０が打撃片１５の開口１５０から釈放される時、打撃片１５はばね片１６の回復力により下向けに発射され、打撃片１５により、下方の釘体３０を発射して、釘打ちの動作を完成する（図８で示される）。打撃片１５、抵圧素子２１、及び、制動素子２３は元の位置に回復して、次の循環動作を提供する。
【図面の簡単な説明】
【００１４】
【図１】本考案のネイルガンの局部立体外観図である。
【図２】本考案のネイルガンの局部立体外観図で、主用素子の様態と相対関係を示す図である。
【図３】本考案のネイルガンの側視平面図である。
【図４】本考案のネイルガンの安全構造未起動時の第一動作図である。
【図５】本考案のネイルガンの安全構造未起動時の第二動作図である。
【図６】本考案のネイルガンの安全構造起動時の第一動作図である。
【図７】本考案のネイルガンの安全構造起動時の第二動作図である。
【図８】本考案のネイルガンの安全構造起動時の第三動作図である。
【符号の説明】
【００１５】
１０  殻体
１１  前側片
１２  スロット
１３  トラック片
１５  打撃片
１６  バネ片
１７  圧棒
１８  釘槽
２０  安全構造
２１  抵圧素子
２２  スロット
２３  制動素子
２４  枢軸
２５  復位ばね
２６  容槽
２７  制限槽
３０  釘体
１５０  開口
１７０  ピック
２１０、２２０停止部
２３０  斜導面
【図１】
0003142981.tif 000003
【図２】
0003142981.tif 000004
【図３】
0003142981.tif 000005
【図４】
0003142981.tif 000006
【図５】
0003142981.tif 000007
【図６】
0003142981.tif 000008
【図７】
0003142981.tif 000009
【図８】
0003142981.tif 000010